(57)【要約】【課題】  長毛カット刃ブロックや短毛カット刃ブロックを複数個保持して高い髭剃り性能を有するとともに、各刃ブロックが肌曲面に対して高い追従性を有するシェーバーを提供する。【解決手段】  短毛カット用の短毛カット刃ブロック７と長毛カット用の長毛カット刃ブロック８とを外刃フレーム１に保持させたシェーバーにおいて、上記外刃フレーム１をシェーバー本体５０に接続させて複数個備えるとともに、それぞれの外刃フレーム１を、該外刃フレーム１の肌への押付けに応じてシェーバー本体５０に対して独立にフロート又はスイング自在となるように設ける。更に、短毛カット刃ブロック７や長毛カット刃ブロック８は外刃フレーム１に対してフロート自在であることが好ましい。【選択図】      図１
2005040358.tif 000002
【特許請求の範囲】
【請求項１】
短毛カット用の短毛カット刃ブロックと長毛カット用の長毛カット刃ブロックとを保持する外刃フレームを、シェーバー本体に接続させて複数個備えるとともに、それぞれの外刃フレームを、該外刃フレームの肌への押付けに応じてシェーバー本体に対して移動自在に設けたことを特徴とするシェーバー。
【請求項２】
それぞれの外刃フレームを、シェーバー本体に対して独立に移動自在に設けたことを特徴とする請求項１記載のシェーバー。
【請求項３】
それぞれの外刃フレームを、シェーバー本体に対して少なくともフロート又はスイング自在に設けたことを特徴とする請求項１又は２記載のシェーバー。
【請求項４】
長毛カット刃ブロックを、該長毛カット刃ブロックが保持される外刃フレームに対してフロート自在に設けたことを特徴とする請求項１〜３のいずれか記載のシェーバー。
【請求項５】
短毛カット刃ブロックを、該短毛カット刃ブロックが保持される外刃フレームに対してフロート自在に設けたことを特徴とする請求項１〜４のいずれか記載のシェーバー。
【請求項６】
並設される複数個の外刃フレームのうち少なくとも両端に位置する外刃フレームにおいて、長毛カット刃ブロックを短毛カット刃ブロックよりも端側に位置させたことを特徴とする請求項１〜５のいずれか記載のシェーバー。
【請求項７】
それぞれの外刃フレームを、該外刃フレームとシェーバー本体の間に介在する外刃フレーム基台を介して、シェーバー本体に移動自在に接続させたことを特徴とする請求項１〜６のいずれか記載のシェーバー。
【請求項８】
外刃フレーム基台が、シェーバー本体と着脱自在であることを特徴とする請求項７記載のシェーバー。
【請求項９】
長毛カット刃ブロックを外刃フレームに対してスライドアップさせるアップ機構を備えたことを特徴とする請求項１〜８のいずれか記載のシェーバー。
【発明の詳細な説明】
【技術分野】
【０００１】
本発明は、長毛カット用の長毛カット刃ブロックと短毛カット用の短毛カット刃ブロックとを有するシェーバーに関するものである。
【背景技術】
【０００２】
従来から髭剃り用のシェーバーとして、シェーバー本体に接続される外刃フレームに、長毛カット用の長毛カット刃ブロックと短毛カット用の短毛カット刃ブロックとを保持させたものが提供されている。このシェーバーは、外刃フレームをシェーバー本体に取付固定するとともに、長毛カット刃ブロックと短毛カット刃ブロックとを、外刃フレームに対してばね付勢力によりフロート自在に保持させたものであり、肌への押し当て時に長毛カット刃ブロックと短毛カット刃ブロックとがそれぞれ独立に押し込まれることで、肌曲面に追従した髭剃りが為されるようになっている（例えば特許文献１参照）。
【０００３】
しかしながら、上記した従来のシェーバーにおいては、外刃フレーム自体はシェーバー本体に固定されている為、髭剃りを行うにあたっては肌曲面にあわせてシェーバー本体を把持する手や腕を動かす必要があり、これが使用者にとっては面倒な作業であった。更に、剃り残しなく確実に髭剃りを行おうとするには短毛カット刃ブロックや長毛カット刃ブロックが多数設けてあるシェーバーを用いることが好ましいが、このように多数設けてある各刃ブロックの全てを確実に肌曲面に追従させようとした場合には、手や腕を動かす作業が更に面倒になるという問題があった。
【特許文献１】特開平１０−３３８５１号公報
【発明の開示】
【発明が解決しようとする課題】
【０００４】
本発明は上記の問題点に鑑みて発明したものであって、長毛カット刃ブロックや短毛カット刃ブロックを複数個保持して高い髭剃り性能を有するとともに、各刃ブロックが肌曲面に対して高い追従性を有するシェーバーを提供することを、課題とするものである。
【課題を解決するための手段】
【０００５】
上記課題を解決するために本発明に係るシェーバーを、短毛カット用の短毛カット刃ブロック７と長毛カット用の長毛カット刃ブロック８とを保持する外刃フレーム１を、シェーバー本体５０に接続させて複数個備えるとともに、それぞれの外刃フレーム１を、該外刃フレーム１の肌への押付けに応じてシェーバー本体５０に対して移動自在に設けたものとする。このようにすることで、短毛カット刃ブロック７や長毛カット刃ブロック８が多数設けてあり剃り残しなく確実な髭剃りが行われることに加え、これら短毛カット刃ブロック７や長毛カット刃ブロック８が各外刃フレーム１の移動によって肌曲面に対する高い追従性を有するものとなり、シェーバー本体５０を把持する手や腕を大きく動かさずとも確実な髭剃りが行われることとなる。
【０００６】
また、それぞれの外刃フレーム１を、シェーバー本体５０に対して独立に移動自在に設けることも好ましい。このようにすることで、多様な肌曲面に応じて各外刃フレーム１が多様に移動し、これにより多数設けてある短毛カット刃ブロック７や長毛カット刃ブロック８をそれぞれ高水準で肌に密着させることができる。
【０００７】
更に、それぞれの外刃フレーム１を、シェーバー本体５０に対して少なくともフロート又はスイング自在に設けることも好ましい。このようにすることで、短毛カット刃ブロック７や長毛カット刃ブロック８を肌に密着させて剃り残しを防止することができることは勿論、使用者にとっての肌への当り感をソフトにして刺激を和らげることができる。
【０００８】
また、短毛カット刃ブロック７や長毛カット刃ブロック８を、該短毛カット刃ブロック７や長毛カット刃ブロック８が保持される外刃フレーム１に対してフロート自在に設けることも好ましく、このようにすることで、短毛カット刃ブロック７や長毛カット刃ブロック８の肌への密着性や肌当りのソフト感を更に向上させることができるとともに、シェーバーの落下時には各刃ブロック７，８が外刃フレーム１内に入り込むことで衝撃を吸収し、破損を防止することができる。
【０００９】
また、並設される複数個の外刃フレーム１，１，…のうち少なくとも両端に位置する外刃フレーム１，１において、長毛カット刃ブロック８を短毛カット刃ブロック７よりも端側に位置させることも好ましい。このようにすることで、端側にある長毛カット刃ブロック８でまず長毛をカットした後に内側の短毛カット刃ブロック７で短毛をカットすることができるので、効率良く髭剃りが行われるものである。
【００１０】
また、それぞれの外刃フレーム１を、該外刃フレーム１とシェーバー本体５０の間に介在する外刃フレーム基台４２を介して、シェーバー本体５０に移動自在に接続させることも好ましい。このようにすることで、外刃フレーム１自体の構造をコンパクト化して肌曲面に対する追従性を向上させることができる。
【００１１】
また、外刃フレーム基台４２が、シェーバー本体５０と着脱自在であることも好ましく、このようにすることで、外刃フレーム基台４２を介して各外刃フレーム１がシェーバー本体５０と着脱自在になるので、短毛カット刃ブロック７や長毛カット刃ブロック８の部品交換や、外刃フレーム１内部の洗浄等が容易に行われるようになる。
【００１２】
また、長毛カット刃ブロック８を外刃フレーム１に対してスライドアップさせるアップ機構を備えていることも好ましく、このようにすることで、スライドアップさせた長毛カット刃ブロック８を用いて、通常は導入し難い長毛を快適に処理することができ、きわ剃り等が容易に行われるようになる。
【発明の効果】
【００１３】
本発明においては、短毛カット刃ブロックや長毛カット刃ブロックが多数設けてあり剃り残しなく確実な髭剃りが行われることに加え、各外刃フレームの移動によって短毛カット刃ブロックや長毛カット刃ブロックがそれぞれ肌曲面に対する高い追従性を有するものとなるので、シェーバー本体を把持する手や腕を大きく動かさずとも剃り残しのない確実な髭剃りを行うことができる、という効果を奏する。
【発明を実施するための最良の形態】
【００１４】
以下、本発明を添付図面に示す実施形態に基いて説明する。図１には、本発明の実施の形態における一例のシェーバーの全体を示している。上記シェーバーは、使用者が把持するシェーバー本体５０と、シェーバー本体５０に接続される一対の外刃フレーム１，１とで主体を構成している。シェーバー本体５０内には、例えば充電池である電源部３と、電源部３からの電力供給により回転駆動されるモータ４と、モータ４の回転運動を往復運動に変換する変換機構５とを備えており、シェーバー本体５０から突出させてある本体駆動子６が変換機構５により往復駆動されるようになっている。また、シェーバー本体５０の正面に設けてある電源スイッチ２は、モータ４への電力供給をオンオフ等する為の操作部である。
【００１５】
図２、図３に示すように、上記外刃フレーム１，１は、略矩形枠状部材をその短手方向中間部にて半割りにした形状のものであり、各外刃フレーム１，１内にはそれぞれ短毛カット用の短毛カット刃ブロック７と長毛カット用の長毛カット刃ブロック８とを、その刃先側部分が外部に突出するように一個ずつ保持させている。なお、各外刃フレーム１において、長毛カット刃ブロック８は短毛カット刃ブロック７よりも端側に位置させており、外刃フレーム１，１を付合わせて略矩形枠状とした状態で、短毛カット刃ブロック７，７同士が隣接するとともに、この短毛カット刃ブロック７，７を一対の長毛カット刃ブロック８，８が両端側から挟み込むようにしている。
【００１６】
上記短毛カット刃ブロック７は、図５（ｂ）にも示すように、金属薄板に多数の刃穴を形成して成る外刃９と、断面逆Ｕ字状に屈曲させたこの外刃９をヒートシールにより保持する略矩形枠状の内カセット１０とで主体を構成しており、シェーバー本体５０から突設される本体駆動子６に押上ばね１２を介して取付けられた内刃１１が、押付けばね１２の付勢力により外刃９の内面に押付けられた状態で内カセット１０内に配されるようになっている。そして、上記内刃１１は本体駆動子６と一体に往復駆動されて外刃９の内面と摺接し、短毛をカットするものである。内カセット１０の両側端にはそれぞれ、断面矩形状を成す凸片１３と、同じく断面矩形状であり且つ内外方向への可撓性を有するばねフック１４とを突設しており、凸片１３からは更にロックフック１５を突設させている。
【００１７】
図３や図７（ａ）に示すように、各外刃フレーム１の両端内面にはそれぞれ、一対の凹溝１６，１６を形成するとともに一方の凹溝１６の溝底には更に係合凹部１７を設けており、内カセット１０の凸片１３とばねフック１４とを上記一対の凹溝１６，１６に１対１で係合させたうえで、ばねフック１４を内方に撓ませながら凹溝１６，１６内をスライドさせると、凸片１３のロックフック１５が凹部１７と嵌合した状態で、外刃フレーム１内に内カセット１０が取付けられるようになっている。ここで、本例においては図１１（ａ）に拡大して示すようにロックフック１５と凹部１７とを図中のＹ方向（即ち、シェーバーの刃先方向）に隙間なく嵌合させ、内カセット１０のＹ方向への移動を規制しているが、例えば図１１（ｂ）に示すようにＹ方向に所定の隙間１８を介してロックフック１５と凹部１７とを嵌合させて、内カセット１０をＹ方向の小範囲にてスライド自在に保持してもよい。この場合、内カセット１０には内刃１１や外刃９を介して押上ばね１２のＹ方向への付勢力が付与されていることから、短毛カット刃ブロック７全体が、該短毛カット刃ブロック７が保持される外刃フレーム１に対してＹ方向にフロート自在となるものである。なお、上記のフロート自在の状態とは、所定方向の小範囲内で付勢力を付与されながらスライド自在となった状態のことである。
【００１８】
また、上記長毛カット刃ブロック８は、図３〜図６にも示すように、トリマー基台１９と、トリマー基台１９に凸設した突起部２０に嵌合固定される固定刃２１と、トリマー基台１９との間で固定刃２１を挟み込むように配されて突起部２０により図中のＸ方向（即ち、シェーバーの刃先の摺動方向）にスライド自在にガイドされる可動刃２２と、トリマー基台１９に連結されて可動刃２２を固定刃２１側に押付ける押えばね２３と、押えばね２３を覆うようにトリマー基台１９に連結されるトリマーカバー２４と、トリマー基台１９に装着されるトリマーガイド２５とを備えたものである。
【００１９】
トリマーガイド２５は、外刃フレーム１の内面にＹ方向の小範囲内でスライド自在に装着されるものである。また、トリマーガイド２５と外刃フレーム１との間には、トリマーガイド２５に対してＹ方向に付勢力を付与する一対のトリマーばね２６，２６を介在させているので、トリマーガイド２５は外刃フレーム１にＹ方向にフロート自在の状態で保持されるようになっている。上記したように、このフロート自在なトリマーガイド２５にトリマー基台１９が装着されているので、トリマーガイド２５を介してトリマー基台１９ひいては長毛カット刃ブロック８全体が、Ｙ方向にフロート自在の状態で外刃フレーム１に保持されるものである。
【００２０】
ここで、トリマー基台１９はトリマーガイド２５に対してＹ方向の小範囲内でスライド自在に装着されており、一方の（本例においては正面側の）外刃フレーム１においては、該外刃フレーム１に対してトリマー基台１９をＹ方向にスライドアップさせる為のアップ機構を備えている。このアップ機構は、外刃フレーム１の外面に装着してあるトリマーハンドル３０のＹ方向のスライド操作に応じてトリマー基台１９の外刃フレーム１からの突出量を変化させるものであり（図１０参照）、トリマーハンドル３０の中央には該トリマーハンドル３０のスライドを選択的にロックするロックボタン３１を設けている。
【００２１】
具体的には、トリマーハンドル３０の背面には押上フック３２と押下フック３３とを一対ずつ突設するとともに、中央にはロックボタン３１を装着しており、これらフック３２，３３とロックボタン３１とを、外刃フレーム１の５箇所に形成してあるＹ方向に長尺の長孔３４，３５，３６に挿通させることで、トリマーハンドル３０を外刃フレーム１にスライド自在に装着している。ロックボタン３１は、トリマーハンドル３０と外刃フレーム１との間で挟持されるとともに、その先端部４１がトリマー基台１９に突設した弾性片３７の先端部正面に当接するように配されている。また、トリマー基台１９には、弾性片３７を挟む両側に略Ｌ字状の押下受け片３８，３８を一対突設しており、弾性片３７がトリマーハンドル３０の押上フック３２，３２のＹ方向直近に位置し、且つ、トリマーハンドル３０の押下フック３３，３３が押下受け片３８，３８のＹ方向直近に位置するようになっている（図４参照）。
【００２２】
各押下受け片３８の外刃フレーム１との対向面には断面半円状の突起３９を設けており（図３等参照）、押下受け片３８の撓みによりこの突起３９が外刃フレーム１内面に設けてある断面半円状の突起（図示せず）を乗り越えることで、トリマー基台１９がスライドアップされるのであるが、ロックボタン３１を押し込まない状態では該ロックボタン３１の幅広の先端部４１が長孔３６の内面から突設してある係止突部４０，４０にスライド不能に係止されていることからトリマーハンドル３０が操作不能であり、したがってトリマー基台１９のスライドアップは防止されている。これに対してロックボタン３１を押し込んだ状態では、該ロックボタン３１の先端部４１は長孔３６内から脱出してスライド可能になるとともに、弾性片３７の先端部を内方に撓ませてこれを押上フック３２，３２と当接し得る位置に変位させる。しかして、この押し込み状態でトリマーハンドル３０にＹ方向への力を加えると、押上フック３２，３２が弾性片３７を介してトリマー基台１９にＹ方向への押上げ力を伝達し、これにより各押下受け片３８の突起３９が外刃フレーム１の突起を乗り越えて、トリマー基台１９が所定突出量までスライドアップされる。スライドアップ完了時にロックボタン３１の押し込みを解除すると、弾性片３７の復元力によりロックボタン３１の先端部４１は係止突部４０，４０をＹ方向に乗り越えた位置で長孔３６内に位置し、逆側からの係止突部４０．４０との係合によりトリマーハンドル３０のスライドを防止することとなる。
【００２３】
上記のスライドアップを解除するには、今度はロックボタン３１を押し込んだ状態でトリマーハンドル３０を押し下げればよく、この場合は、ロックボタン３１の先端部４１が長孔３６内から脱出してスライド可能になるとともに、トリマーハンドル３０の押下フック３３，３３が押下受け片３８，３８を介してトリマー基台１９に押下げ力を伝達し、これにより押下受け片３８を撓ませながら突起３９が外刃フレーム１の突起を乗り越えて、トリマー基台１９を初期位置に復帰させるものである。
【００２４】
各長毛カット刃ブロック８の可動刃２２は、トリマー駆動子２７によってＸ方向に往復駆動される。上記トリマー駆動子２７は、本体駆動子６に固定された第二駆動子２８にその一端側を連結させ、中央部分をトリマー基台１９に突設した軸２９により軸支させるとともに、他端側を可動刃２２に連結させたものであり、本体駆動子６と一体に往復運動を行う第二駆動子２８と連動して、トリマー駆動子２７が軸２９を中心とした揺動運動を行い、このトリマー駆動子２７の揺動運動が可動刃２２の往復運動に変換されるようになっている。このとき、可動刃２２は固定刃２１に押付けられた状態で摺動し、長毛をカットするものである。なお、トリマー駆動子２７は長毛カット刃ブロック８のスライドアップ時も第二駆動子２８と問題なく連結して揺動運動を行い、特にスライドアップ時にはきわ剃り等に好適に用いられるものである。
【００２５】
そして、本例のシェーバーにおいては、上記のように短毛カット刃ブロック７と長毛カット刃ブロック８とを保持する一対の外刃フレーム１，１を、肌への押付けに応じてそれぞれが独立に、シェーバー本体５０に対して自在にフロート及びスイングする構造としている。各外刃フレーム１は、シェーバー本体５０に固定される略矩形枠状の外刃フレーム基台４２に移動自在に装着されるものであって、この外刃フレーム基台４２を介してシェーバー本体５０に移動自在に接続されるようになっている。以下、具体的な構成について述べると、図７（ｄ）に示すように外刃フレーム基台４２のＸ方向の両端部はＹ方向に一段高く形成してあり、この両端部にはＹ方向に開口端を有するスリット４３をそれぞれ一対ずつ設けている。また、各スリット４３の開口端近傍の内面には抜け止めフック４４，４４を設けている。一方、図７や図８に示すように、外刃フレーム１のＸ方向の両端内面にはそれぞれ、外刃フレーム基台４２の両端部の略半部がＹ方向に嵌入される断面逆Ｖ字状の深溝部４５を開口させており、この深溝部４５には、Ｘ方向に対向する内壁面間を繋ぐリブ状の連結部材４６を突設している。そして、本例の外刃フレーム１と外刃フレーム基台４２との連結は、両端の深溝部４５，４５内に外刃フレーム基台４２の両端部をそれぞれ挿入するとともに、各深溝部４５内の連結部材４６を外刃フレーム基台４２のスリット４３内に１対１で遊嵌させることで為されるものである。連結部材４６はスリット４３内をＹ方向の小範囲内でスライド自在であるとともに抜け止めフック４４による抜け止めが為されており、上記したＹ方向の小範囲内で各外刃フレーム１は外刃フレーム基台４２即ちシェーバー本体５０に対して移動自在となっている。ここで、シェーバー本体５０に装着された状態にある各外刃フレーム１には、該外刃フレーム１に保持される短毛カット刃ブロック７を介して、押上ばね１２のＹ方向への付勢力が付与されるので、各外刃フレーム１がシェーバー本体５０に対してそれぞれ独立にＹ方向にフロート自在となるものである。
【００２６】
更に、図８に示すように、外刃フレーム基台４２の各端部とこれが遊嵌される深溝部４５との間には、外刃フレーム１の多少のがたつきを許容するＸ方向の空隙４７を設けてあり、加えて、深溝部４５の内壁面には、外刃フレーム１の上記がたつきを図中矢印のようなヘッドをＸ方向に揺動させるスイング軌道上の移動に規制する、一対の半円リブ状の規制突部４８，４８を設けている。上記一対の規制突部４８，４８は、深溝部４５の内壁面であってＸ方向に互いに対向する箇所から突設してあり、規制突部４８，４８の先端で外刃フレーム基台４２の端部を内外の両側から挟むように位置している。上記構成により、各外刃フレーム１はシェーバー本体５０に対してそれぞれ独立に揺動するように構成されており、更に、既述したように各外刃フレーム１には短毛カット刃ブロック７を介して押上ばね１２のＹ方向への付勢力が付与されていることから、この付勢力が、揺動運動によりヘッドを傾斜させた状態にある外刃フレーム１を初期位置に復帰させようとする付勢力となるものである。
【００２７】
上記のように、本例のシェーバーにおいては、一対の外刃フレーム１，１の全体としては短毛カット刃ブロック７と長毛カット刃ブロック８とを一対ずつ保持していて剃り残しのない高い髭剃り性能を有することに加え、短毛カット刃ブロック７と長毛カット刃ブロック８とを一つずつ保持する各外刃フレーム１が、シェーバー本体５０に対してそれぞれ独立にフロート及びスイング自在であり、更に、各外刃フレーム１に対して短毛カット刃ブロック７や長毛カット刃ブロック８が独立してフロート自在であることで、肌曲面に対して各刃ブロック８，９が高い追従性を有するものとなっている。各外刃フレーム１はシェーバー本体５０に対して必ずしもフロート自在且つスイング自在である必要はなく、少なくともフロート又はスイングの一方が自在であればよい。なお、上記のスイング自在の状態とは、所定のスイング軌道範囲内で初期位置に復帰させる付勢力を付与されながら揺動自在となった状態である。
【００２８】
また、図１２に示すように本例のシェーバーにおいては、シェーバー本体５０を、使用者が把持する部分であって電源スイッチ２や電源部３を具備する本体把持部５１と、外刃フレーム１，１を装着しこれを往復駆動する部分であって、モータ４や変換機構５や本体駆動子６を具備する本体ヘッド部５２との、２ブロックで構成しており、本体把持部５１と本体ヘッド部５２との間に介在する本体フロートばね５３，５３を介して、本体ヘッド部５２を本体把持部５１に対してＹ方向にフロート自在及びＸ方向にスイング自在に連結させている。したがって、外刃フレーム１，１の肌への押付けに伴い、各外刃フレーム１が本体ヘッド部５１に対して既述したようなフロート動作やスイング動作を行うことに加えて、これら外刃フレーム１，１を装着する本体ヘッド部５２が本体把持部５１に対してフロート動作やスイング動作を行なうことで、短毛カット刃ブロック７や長毛カット刃ブロック８は本体把持部５１に対して広範な可動範囲内で、且つ、高い自由度で、肌面に追従することができるようになっている。
【００２９】
図９には、本例の外刃フレーム１の着脱動作を示しているが、図示のように外刃フレーム１とシェーバー本体５０の間に介在する外刃フレーム基台４２がシェーバー本体５０と着脱自在であることを利用して、外刃フレーム１の着脱は外刃フレーム基台４２を介して行われる。本例においては外刃フレーム基台４２とシェーバー本体５０との着脱構造として、外刃フレーム基台４２のＸ方向の両端外面にそれぞれ着脱ボタン５４を突設するとともに、該着脱ボタン５４の押し込みと連動して内方に撓む可撓部５５を設け、この可撓部５５から着脱フック５６を突設させている。シェーバー本体５０の本体ヘッド部５１には、各着脱フック５６が挿入される係止孔５７を貫設しており、着脱フック５６が係止孔５７に弾性的に係止されることで、外刃フレーム基台４２がシェーバー本体５０に装着されるようになっている。外刃フレーム基台４２をシェーバー本体５０から取外す場合には、両側において着脱ボタン５４を内方に押し込み可撓部５５を撓ませ、着脱フック５６と係止孔５７との係合を解除したうえで、そのまま外刃フレーム基台４２をＹ方向に持ち上げればよく、これにより外刃フレーム基台４２と一体に外刃フレーム１，１が取外されるものである。
【００３０】
次に、本発明の実施の形態における他例のシェーバーについて説明する。なお、既述した一例と同様の構成は同一符号を付して説明を省略し、相違する構成についてのみ異符号を付して以下に述べる。本例のシェーバーにおいては、図１３に示すように、短毛カット用の短毛カット刃ブロック７と長毛カット用の長毛カット刃ブロック８とを保持する一対の外刃フレーム１，１の間に、別の外刃フレーム６１を配するとともに、該外刃フレーム６１に短毛カット用の短毛カット刃ブロック７を保持させており、一例のシェーバーに比して更に髭剃り性能を向上させたものとなっている。また、図１４に示すように、上記外刃フレーム６１にスリット刃６２から成る長毛カット用の長毛カット刃ブロック６３を保持させてもよく、この場合も一例のシェーバーに比して更に髭剃り性能を向上させたものとなる。ここで、本例の短毛カット刃ブロック７や長毛カット刃ブロック６３は外刃フレーム６１に対してＹ方向に移動不能に保持されたものであるが、これがフロート自在に保持されたものであっても構わない。また、外刃フレーム６１は、これを挟む一対の外刃フレーム１，１と同様に、シェーバー本体５０に対して少なくともフロート又はスイングの一方が自在であることが好ましい。
【００３１】
次に、本発明の実施の形態における更に他例のシェーバーについて説明する。なお、本例においても既述した一例と同様の構成は同一符号を付して説明を省略し、相違する構成についてのみ異符号を付して以下に述べる。本例のシェーバーにおいては、図１５に示すように、一対の外刃フレーム１，１のそれぞれに、短毛カット用の短毛カット刃ブロック７と、スリット刃６２から成る長毛カット用の長毛カット刃ブロック６３を保持させており、スリット刃構造により長毛を確実にカットするものとなっている。
【００３２】
そして、上記したいずれのシェーバーにおいても、両端に位置する外刃フレーム１，１のそれぞれにおいて、長毛カット刃ブロック８，６３を短毛カット刃ブロック７よりも端側に位置させていることで、まず端側の長毛カット刃ブロック８で長毛がカットされて短毛となった後に、この短毛が中央の短毛カット刃ブロック６に導入されて更にカットされるので、剃り残しのない高精度での髭剃りが為されるようになっている。特に、一例や他例のシェーバーにおいては、長毛カット刃ブロック８のトリマーカバー２４の外面に、Ｚ方向（即ち、刃先の摺動方向と直交する方向）に伸びる導入溝４９を多数凹設しているので、この導入溝４９にガイドされることで、長毛カット刃ブロック８を通過した後の中途半端な長毛や傾いた短毛等であってもＺ方向へと毛先方向を揃えて短毛カット刃ブロック６内に円滑に導入されるものである。
【図面の簡単な説明】
【００３３】
【図１】本発明の実施の形態における一例のシェーバー全体を示しており、（ａ）は正面図、（ｂ）は（ａ）のＡ−Ａ線断面図である。
【図２】同上のシェーバーのヘッド部分を示しており、（ａ）は斜視図、（ｂ）は平面図、（ｃ）は正面図、（ｄ）は側面図である。
【図３】同上のシェーバーのヘッド部分の分解斜視図である。
【図４】同上のシェーバーの長毛カット刃ブロックを組み付けた状態の外刃フレームを示す説明図である。
【図５】同上のシェーバーの各刃ブロックの説明図であり、（ａ）は長毛カット刃ブロックの全体、（ｂ）は短毛カット刃ブロックの全体を示している。
【図６】同上のシェーバーの長毛カット刃ブロックの断面図である。
【図７】同上のシェーバーの外刃フレームの説明図であり、（ａ）は短毛カット刃ブロックと長毛カット刃ブロックと外刃フレーム基台を組み付けた状態、（ｂ）は側面視の状態、（ｃ）は背面視の状態、（ｄ）外刃フレームに装着される外刃フレーム基台を示している。
【図８】同上のシェーバーの外刃フレームと外刃フレーム基台との連結構造を示す説明図である。
【図９】同上のシェーバーの外刃フレームの着脱構造を示しており、（ａ）は正面図、（ｂ）は一部破断斜視図、（ｃ）は主要部断面図である。
【図１０】同上のシェーバーのスライドアップ動作を示す説明図であり、（ａ）は初期状態、（ｂ）はスライドアップ完了状態である。
【図１１】同上のシェーバーの短毛カット刃ブロックの係止状態を示しており、（ａ）は図７（ａ）のＢ部拡大図、（ｂ）はスライド自在とした場合のＢ部拡大図である。
【図１２】同上のシェーバーのシェーバー本体を示す説明図であり、（ａ）は初期状態、（ｂ）はフロート動作状態、（ｃ）はスイング動作状態を示している。
【図１３】本発明の実施の形態における他例のシェーバーを示しており、（ａ）はヘッド部分の平面図、（ｂ）はヘッド部分の側面図、（ｃ）は中央の外刃フレームの平面図、（ｄ）は中央の外刃フレームの係止状態を示す説明図である。
【図１４】同上のシェーバーの中央の外刃フレームを別構造とした場合を示しており、（ａ）は平面図、（ｂ）は係止状態を示す説明図である。
【図１５】本発明の実施の形態における更に他例のシェーバーのヘッド部分を示しており、（ａ）は平面図、（ｂ）は側面図である。
【符号の説明】
【００３４】
１  外刃フレーム
７  短毛カット刃ブロック
８  長毛カット刃ブロック
４２  外刃フレーム基台
５０  シェーバー本体
【図１】
2005040358.tif 000003
【図２】
2005040358.tif 000004
【図３】
2005040358.tif 000005
【図４】
2005040358.tif 000006
【図５】
2005040358.tif 000007
【図６】
2005040358.tif 000008
【図７】
2005040358.tif 000009
【図８】
2005040358.tif 000010
【図９】
2005040358.tif 000011
【図１０】
2005040358.tif 000012
【図１１】
2005040358.tif 000013
【図１２】
2005040358.tif 000014
【図１３】
2005040358.tif 000015
【図１４】
2005040358.tif 000016
【図１５】
2005040358.tif 000017